(57)【特許請求の範囲】
【請求項１】
シートを支持する第１支持面を有する第１トレイと、
シートを支持する第２支持面を有し、当該第２支持面の少なくとも一部が上記第１支持面と直交する方向に重複する第１位置、及び当該第１位置よりも第１向きに位置しており上記第２支持面の上記第１支持面に対する重複面積が当該第１位置よりも小さい第２位置へ移動可能に上記第１トレイに支持された第２トレイと、
上記第１支持面に沿っており、且つ、上記第１向きと直交する幅方向に沿って延びる回動軸線周りに回動可能であって、上記第２トレイが上記第２位置にある状態において、上記第２支持面より上方において上記第２支持面の少なくとも一部を覆う被覆状態において上記第２トレイに支持されるトレイカバーと、を備えており、
上記第１トレイは、上記第１支持面から上方に突出しており、且つ、上記第１向きに沿って延びる第１側壁を有しており、
上記第２トレイは、上記第２支持面から上方に突出しており、且つ、上記第１向きに沿って延びる第２側壁を有しており、
上記トレイカバーは、上記被覆状態において上記第２側壁の上面と対向する下面から下方へ突出して、上記第２側壁の支持部に当接する突起を有しており、
上記第２トレイが上記第１位置にある状態において、上記第２側壁の支持部は、上記第１側壁の上面より下方であって、上記幅方向において上記第１側壁の上面と重複しており、
上記突起は、上記トレイカバーが上記被覆状態であって、上記第２トレイが上記第２位置から上記第１位置へ移動する過程において、上記第１向きにおける上記第１側壁の端部と当接して上記トレイカバーを上方へ回動するように案内する第１ガイド面を有するシートトレイ。
【請求項２】
上記支持部は、上記第２側壁の上面から下方へ凹む凹部である請求項１に記載のシートトレイ。
【請求項３】
上記第１側壁は、上記第２トレイが上記第１位置にある状態において、上記支持部を上記突起と当接可能に上方へ露出させる貫通孔を上記上面に有する請求項１又は２に記載のシートトレイ。
【請求項４】
上記突起は、上記第１ガイド面より上記第１向きに位置しており、上記トレイカバーが上記被覆状態であって、上記第２トレイが上記第１位置から上記第２位置へ移動する過程において、上記第１側壁の貫通孔を区画する周縁部と当接して、上記トレイカバーを上方へ回動するように案内する第２ガイド面を有する請求項３に記載のシートトレイ。
【請求項５】
上記トレイカバーは、上記被覆状態において、当該トレイカバーにおける上記第１向きに位置する端部から上記第１向きへ突出する突片を有しており、
上記第２トレイは、上記突片が挿入される開口が形成された壁部を有しており、
上記トレイカバーは、上記壁部の開口に挿入された上記突片を回動中心として回動する請求項１から４のいずれかに記載のシートトレイ。
【請求項６】
上記壁部は、上記被覆状態の上記トレイカバーの端部の上方に突出する凸部を有する請求項５に記載のシートトレイ。
【請求項７】
請求項１から６のいずれかに記載のシートトレイと、
上記シートトレイに支持されたシートを装置本体に給送する給送部と、を備えるシート搬送装置。
【発明の詳細な説明】
【技術分野】
【０００１】
本発明は、シートを支持するシートトレイ、及び装置本体へ給紙するシートを支持するシートトレイを備えたシート搬送装置に関する。
【背景技術】
【０００２】
従来より、複数のトレイをスライド移動させてシート載置面を伸縮させる構成のシートトレイが知られている。例えば、特許文献１には、画像形成装置に使用される給紙カセットであって、主枠体と、主枠体に摺動自在に支持される補助枠体とを有する給紙カセットが記載されている。この給紙カセットにおいては、主枠体に対して補助枠体が摺動されることによって、主枠体と補助枠体との相対位置が変化する。これによって、給紙カセットが支持できるシートのサイズが変更される。
【０００３】
また、シート載置面の上部にトレイカバーを備える給送トレイが知られている。
【先行技術文献】
【特許文献】
【０００４】
【特許文献１】特開２００４−１０６９８３号公報
【発明の概要】
【発明が解決しようとする課題】
【０００５】
第１トレイに対して第２トレイがスライド移動可能に設けられ、第２トレイにトレイカバーが設けられるシートトレイの構成において、第２トレイにトレイカバーが設けられたまま、第２トレイが第１トレイに押し込まれると、トレイカバーが第１トレイに当接する可能性がある。この場合、第２トレイの移動が妨げられる。
【０００６】
本発明は、上記の事情に鑑みてなされたものであり、その目的は、第１トレイに対して第２トレイがスライド移動可能に設けられた構成において、トレイカバーが被覆状態にあっても、第２トレイを容易に移動させることができるシートトレイを提供することにある。
【課題を解決するための手段】
【０００７】
(1)  本発明に係るシートトレイは、シートを支持する第１支持面を有する第１トレイと、シートを支持する第２支持面を有し、当該第２支持面の少なくとも一部が上記第１支持面と直交する方向に重複する第１位置、及び当該第１位置よりも第１向きに位置しており上記第２支持面の上記第１支持面に対する重複面積が当該第１位置よりも小さい第２位置へ移動可能に上記第１トレイに支持された第２トレイと、上記第１支持面に沿っており、且つ、上記第１向きと直交する幅方向に沿って延びる回動軸線周りに回動可能であって、上記第２トレイが上記第２位置にある状態において、上記第２支持面より上方において上記第２支持面の少なくとも一部を覆う被覆状態において上記第２トレイに支持されるトレイカバーと、を備えている。上記第１トレイは、上記第１支持面から上方に突出しており、且つ、上記第１向きに沿って延びる第１側壁を有している。上記第２トレイは、上記第２支持面から上方に突出しており、且つ、上記第１向きに沿って延びる第２側壁を有している。上記トレイカバーは、上記被覆状態において上記第２側壁の上面と対向する下面から下方へ突出して、上記第２側壁の支持部に当接する突起を有している。上記第２トレイが上記第１位置にある状態において、上記第２側壁の支持部は、上記第１側壁の上面より下方であって、上記幅方向において上記第１側壁の上面と重複している。上記突起は、上記トレイカバーが上記被覆状態であって、上記第２トレイが上記第２位置から上記第１位置へ移動する過程において、上記第１向きにおける上記第１側壁の端部と当接して上記トレイカバーを上方へ回動するように案内する第１ガイド面を有する。
【０００８】
上記構成によれば、トレイカバーが被覆状態のときに第２トレイが第２位置から第１位置へ移動された場合、トレイカバーの突起が第１トレイの第１側壁の上面に乗り上げる。そのため、トレイカバーが被覆状態であっても、第２トレイが第２位置から第１位置へ容易に移動される。
【０００９】
(2)  好ましくは、上記支持部は、上記第２側壁の上面から下方へ凹む凹部である。
【００１０】
上記構成によれば、被覆状態にあるトレイカバーの位置が安定する。
【００１１】
(3)  好ましくは、上記第１側壁は、上記第２トレイが上記第１位置にある状態において、上記支持部を上記突起と当接可能に上方へ露出させる貫通孔を上記上面に有する。
【００１２】
上記構成によれば、第２トレイが第１位置にある状態において、トレイカバーの突起が第２側壁の上面に当接する。そのため、第２トレイが第１位置にある状態と第２位置にある状態とで、被覆状態にあるトレイカバーが同じ高さに位置する。
【００１３】
(4)  好ましくは、上記突起は、上記第１ガイド面より上記第１向きに位置している。上記トレイカバーが上記被覆状態であって、上記第２トレイが上記第１位置から上記第２位置へ移動する過程において、上記第１側壁の貫通孔を区画する周縁部と当接して、上記トレイカバーを上方へ回動するように案内する第２ガイド面を有する。
【００１４】
上記構成によれば、第２トレイが第２位置から第１位置に移動する過程で、トレイカバーの突起が第１側壁の貫通孔に進入する際に、被覆状態にあるトレイカバーが急激に下方に回動することが抑制される。また、トレイカバーが被覆状態にある第２トレイが第１位置から第２位置に移動する過程で、突起が貫通孔に引っ掛かることが抑制される。
【００１５】
(5)  好ましくは、上記トレイカバーは、上記被覆状態において、当該トレイカバーにおける上記第１向きに位置する端部から上記第１向きへ突出する突片を有している。上記第２トレイは、上記突片が挿入される開口が形成された壁部を有している。上記トレイカバーは、上記壁部の開口に挿入された上記突片を回動中心として回動する。
【００１６】
上記構成によれば、第２トレイに対してトレイカバーが容易に着脱される。
【００１７】
(6)  好ましくは、上記壁部は、上記被覆状態の上記トレイカバーの前端部の上方に突出する凸部を有する。
【００１８】
上記構成によれば、トレイカバーの被覆状態において、トレイカバーの上面が第２トレイにおける壁部の凸部に当接する。これにより、被覆状態のトレイカバーが第２トレイから抜け落ちることが抑制される。
【００１９】
(7)  本発明に係るシート搬送装置は、請求項１から６のいずれかに記載のシートトレイと、上記シートトレイに支持されたシートを装置本体に給送する給送部と、を備える。
【発明の効果】
【００２０】
本発明によれば、第１トレイに対して第２トレイがスライド移動可能に設けられたシートトレイにおいて、トレイカバーが被覆状態であっても、第２トレイをユーザが容易に移動させることができる。
【図面の簡単な説明】
【００２１】
【図１】図１は、複合機１０の外観を示す斜視図である。
【図２】図２は、複合機１０の内部構造を模式的に示す縦断面図である。
【図３】図３は、トレイカバー３３が被覆された状態で短縮された状態の給送トレイの斜視図である。
【図４】図４は、トレイカバー３３が被覆された状態において伸長された状態の給送トレイ２０の斜視図である。
【図５】図５は、トレイカバー３３が取り外された状態で伸長された状態の給送トレイ２０の斜視図である。
【図６】図６は、トレイカバー３３の斜視図であり、（Ａ）は上面を示し、（Ｂ）は下面を示す。
【図７】図７は、図３のＡ−Ａ断面図である。
【図８】図８は、図３のＢ−Ｂ断面図である。
【図９】図９は、図３のＣ−Ｃ断面図である。
【図１０】図１０は、給送トレイ２０の縦断面図であり、（Ａ）は延長トレイ３２が引出位置にある状態、（Ｂ）はトレイカバー３３の突起１１７の後傾斜面１１７Ａが本体トレイ３１の側壁７５の前端部７５Ａと当接した状態、（Ｃ）はトレイカバー３３の突起１１７が本体トレイ３１の側壁７５に乗り上げた状態を示す。
【図１１】図１１は、給送トレイ２０の縦断面図であり、（Ａ）はトレイカバー３３の突起１１７が本体トレイ３１の側壁７５における貫通孔８４Ａの前方に位置する状態、（Ｂ）は延長トレイ３２が押込位置にある状態を示す。
【発明を実施するための形態】
【００２２】
以下、本発明の実施形態について説明する。なお、以下に説明される実施形態は本発明の一例にすぎず、本発明の要旨を変更しない範囲で、本発明の実施形態を適宜変更できることは言うまでもない。また、以下の説明では、複合機１０が使用可能に設置された状態（図１の状態）を基準として上下方向７が定義され、開口１３が形成された方を手前（正面）として前後方向８が定義され、複合機１０を手前から見て左右方向９（幅方向の一例）が定義される。
【００２３】
［複合機１０の全体構造］
図１に示されるように、複合機１０（シート搬送装置及び装置本体の一例）は、概ね直方体に形成されており、外観を形成する筐体１４を備えている。複合機１０は、ファクシミリ機能及びプリント機能などの各種の機能を有している。ここで、プリント機能は、記録紙１２（図２参照、シートの一例）に画像を記録する機能である。
【００２４】
図１に示されるように、筐体１４の正面には開口１３が形成されている。開口１３の後方には、収納部１６が形成されている。つまり、収納部１６は、開口１３によって外部に開放されている。収納部１６は、筐体１４の内部に形成された空間である。
【００２５】
給送トレイ２０は、記録紙１２を積載した状態で支持可能である。給送トレイ２０（シートトレイの一例）は、筐体１４に対して前後方向８にスライドされることによって、開口１３を通じて筐体１４に対して引き出し及び押し入れ可能である。給送トレイ２０は、開口１３から筐体１４に押し入れられることによって、収納部１６に収納される（図１参照）。つまり、給送トレイ２０は、筐体１４に装着される。給送トレイ２０は、後述する延長トレイ３２が図３に示される押込位置（後述）にある状態で、図１に示されるように複合機１０の前面において、延長トレイ３２の前面９５Ａが筐体１４の前面１５と概ね同一平面上に位置する。
【００２６】
図２に示されるように、筐体１４（図１参照）の内部には、給送部２８、搬送ローラ対５７、排出ローラ対５８、記録部２４などが配置されている。
【００２７】
給送トレイ２０が筐体１４の収納部１６に収納されている状態（図１参照）において、図２に示されるように、給送トレイ２０に支持された記録紙１２は、給送部２８及び搬送ローラ対５７によって後述する搬送路６５を搬送される。搬送路６５を搬送される記録紙１２は、記録部２４によって画像記録される。画像記録された記録紙１２は、排出ローラ対５８によって、給送トレイ２０の上方に設けられた排出トレイ２１に排出され、排出トレイ２１に支持される。
【００２８】
収納部１６に収納された状態の給送トレイ２０の上方には、給送部２８が設けられている。給送部２８は、給送ローラ２５、アーム２６、及び軸２７を備えている。給送ローラ２５は、アーム２６の先端部に回転可能に設けられている。アーム２６は、筐体１４に支持された軸２７に回動可能に設けられている。アーム２６は、自重或いはバネ等による弾性力によって給送トレイ２０の方へ回動付勢されている。給送ローラ２５は、モータ（不図示）から駆動力が付与されて回転されることによって、給送トレイ２０に支持された記録紙１２をピックアップして搬送路６５に給送する。
【００２９】
筐体１４に装着された状態の給送トレイ２０の後端部から搬送路６５が延出されている。搬送路６５は、外ガイド部材１９と内ガイド部材１８とによって区画されており、湾曲部と直線部とで構成されている。給送トレイ２０に支持された記録紙１２は、湾曲部を下方から上方へＵターンするように搬送された後、直線部を搬送されて記録部２４に至る。記録部２４により画像記録が行われた記録紙１２は、直線部を搬送されて排出トレイ２１に排出される。つまり、記録紙１２は、搬送路６５上を、図２に破線矢印で示される搬送向き１１に沿って搬送される。
【００３０】
搬送路６５には、記録部２４よりも搬送向き１１の上流に搬送ローラ６０及びピンチローラ６１よりなる搬送ローラ対５７が設けられ、記録部２４よりも搬送向き１１の下流に排出ローラ６２及び拍車６３よりなる排出ローラ対５８が設けられている。各ローラ対５７、５８は、記録紙１２を挟持する。各ローラ６０、６２は、モータ（不図示）から駆動力が付与されて回転する。これにより、各ローラ対５７、５８は、挟持した記録紙１２を搬送向き１１に搬送する。
【００３１】
搬送路６５の上方には、記録部２４が設けられている。本実施形態において、記録部２４は、インクジェット方式によって、給送部２８によって搬送路６５へ給送され搬送ローラ対５７によって搬送路６５を搬送される記録紙１２に画像を記録する。なお、記録部２４が記録紙１２に画像を記録する方式は、インクジェット方式に限らず、他の公知の方式、例えば電子写真方式であってもよい。
【００３２】
［給送トレイ２０］
図２に示されるように、給送トレイ２０は、筐体１４に装着された状態において、記録部２４の下方に配置されている。また、給送トレイ２０が筐体１４に装着された状態において、給送トレイ２０に支持された記録紙１２が搬送路６５へ供給可能となる。一方、図５に示されるように、給送トレイ２０が筐体１４から脱抜された状態において、給送トレイ２０への記録紙１２の補充が可能となる。図４に示されるように、給送トレイ２０は、本体トレイ３１（第１トレイの一例）と延長トレイ３２（第２トレイの一例）とトレイカバー３３とを備えている。
【００３３】
図３〜図５に示されるように、延長トレイ３２は、前後方向８に沿って、本体トレイ３１に対して相対移動可能に構成されている。延長トレイ３２は、本体トレイ３１の前部から前方（第１向きの一例）へ引き出される。延長トレイ３２は、本体トレイ３１から引き出された位置（図４及び図５参照、第２位置の一例、以下、「引出位置」と称する。）において、本体トレイ３１に押し込まれた状態（図３参照、第１位置の一例、以下、「押込位置」と称する。）における延長トレイ３２と比較して、前方に位置している。図３に示される延長トレイ３２が押込位置にある状態における本体トレイ３１の底板７４（後述）と延長トレイ３２の底板９１（後述、図４参照）との上下方向７における重複面積は、図４に示される延長トレイ３２が引出位置にある状態における本体トレイ３１の底板７４と延長トレイ３２の底板９１との重複面積より大きい。また、以下では、図３及び図４に示されるように、給送トレイ２０に装着されたトレイカバー３３の状態を「被覆状態」と称する。
【００３４】
［本体トレイ３１］
図３〜図５に示されるように、本体トレイ３１は、底板７４と、底板７４の左右両端部から上向きに立設された一対の側壁７５と、底板７４の後端部における左右方向９の中央部から上向きに立設された中央板７６と、底板７４の後端部且つ右端部から上向きに立設された右後板７７と、底板７４の後端部且つ左端部から上向きに立設された左後板７８とを備えている。
【００３５】
底板７４は、上方を向いた支持面７４Ａ（第１支持面の一例）を有している。底板７４は、支持面７４Ａにより記録紙１２（図２参照）を支持する。中央板７６は、支持面７４Ａに支持された記録紙１２と当接可能である。これにより、給送トレイ２０が筐体１４（図１参照）から脱抜された状態のときに、記録紙１２が給送トレイ２０の後方から落下することが防止される。なお、給送トレイ２０が収納部１６（図１参照）に収納されているとき、中央板７６は、筐体１４の収納部１６の後方に設けられた傾斜板７９（図２参照）より後方に位置する。これにより、底板７４に支持された記録紙１２が給送部２８によって給送されると、当該記録紙１２は、傾斜板７９の前面に沿って案内されて、搬送路６５へ導かれる。
【００３６】
図７に示されるように、本体トレイ３１の側壁７５（第１側壁の一例）は、外板８０と内板８１と上板８２（図４参照）とを備える。図４に示されるように、外板８０及び内板８１は、上下方向７及び前後方向８に沿って拡がる矩形の平板形状である。図７に示されるように、外板８０は、左右方向９において内板８１の外方に内板８１と間隔を空けて位置する。図４に示されるように、上板８２は、外板８０の上端と内板８１の上端とを接続している。
【００３７】
図７に示されるように、外板８０には、外板８０の内面８０Ａから左右方向９の内方へ突出した凸部８３が形成されている。凸部８３の上面８３Ｂには下方へ凹んで前後方向８に延びるガイドレール８３Ａが形成されている。ガイドレール８３Ａに、延長トレイ３２の後述するガイドレール１０２が上方から嵌め込まれることにより、延長トレイ３２は、本体トレイ３１に対して前後方向８へ移動可能に本体トレイ３１に支持される。
【００３８】
図５に示されるように、上板８２には、上板８２の上面８２Ａから下方に貫通する貫通孔８４Ａが形成されている。貫通孔８４Ａの前後方向８の寸法は、後述するトレイカバー３３の突起１１７（図６（Ｂ）参照）の前後方向８の寸法より大きい。貫通孔８４Ａの位置は、トレイカバー３３が被覆状態にあり、延長トレイ３２が押込位置にある状態における、トレイカバー３３（図３参照）の突起１１７の位置に対応している。貫通孔８４Ａは、延長トレイ３２が押込位置にある状態において、延長トレイ３２の後述する支持部９４Ａを、突起１１７と当接可能に上方へ露出させる（図１１（Ｂ）参照）。
【００３９】
図５に示されるように、上板８２における上面８２Ａの前端縁から下方に延びる前面（不図示）により、側壁７５の前端部７５Ａ（第１側壁の端部の一例）が形成されている。
【００４０】
図７に示されるように、内板８１の上端部には、内板８１の上面８１Ａから下方に凹んで前後方向８に延びる凹部８８が形成されている。凹部８８は、内板８１において、後述するトレイカバー３３の下延部１２１に対応した位置にある。
【００４１】
図５に示されるように、底板７４には、本体トレイ３１に対する延長トレイ３２の移動を規制又は解除するレバー８５が備えられている。所定の通常位置にあるレバー８５がユーザにより左方に移動されることにより、本体トレイ３１が備える係合部（不図示）の延長トレイ３２に対する係合が解除されて延長トレイ３２が前後方向８に移動可能な状態になる。レバー８５は、不図示のばねによって右方に付勢されている。そのため、レバー８５がユーザによって左方に移動されていないとき、レバー８５は通常位置にある。レバー８５が通常位置にあるときは、当該係合部が係合された状態となり、延長トレイ３２の前後方向８の移動が規制された状態になる。延長トレイ３２が、図３に示す押込位置にある状態において、レバー８５は、被覆状態にあるトレイカバー３３の下方に位置している（図３においては、レバー８５は、トレイカバー３３によって隠れている）。
【００４２】
底板７４には、左右方向９における支持面７４Ａの中心に対して左方と右方とに、一対のサイドガイド８６が設けられている。サイドガイド８６は、上下方向７及び前後方向８に沿って拡がり左右方向９の内方を向いたガイド面を有している。サイドガイド８６は、左右方向９に移動可能に底板７４に支持されている。サイドガイド８６は、一方が左方に移動すると他方が右方に移動し、一方が右方に移動すると他方が左方に移動するように、公知の連結機構によって連結されている。これら一対のサイドガイド８６の対向するガイド面が記録紙１２（図２参照）の左右方向９における両端部と当接することによって、記録紙１２は、給送トレイ２０の左右方向９におけるセンター位置を基準に位置決めされる。
【００４３】
底板７４には、底板７４における左右方向９の中央部に、リアガイド８７が設けられている。リアガイド８７は、上下方向７及び左右方向９に沿って拡がり後方を向いたガイド面を有している。リアガイド８７は、前後方向８に移動可能に底板７４に支持されている。リアガイド８７は、延長トレイ３２が引出位置にある状態において、延長トレイ３２の前端部まで移動可能に構成されている。リアガイド８７のガイド面が記録紙１２の前端部と当接することによって、記録紙１２は、給送トレイ２０の前後方向８において位置決めされる。
【００４４】
［延長トレイ３２］
図７に示されるように、延長トレイ３２の底板９１は、本体トレイ３１の底板７４の下方に重複している。
【００４５】
図５に示されるように、延長トレイ３２は、底板９１と、底板９１の左右端から上向きに立設された一対の側壁９２と、底板９１の前端から上向きに立設された前壁９３とを備えている。底板９１は、上方を向いた支持面９１Ａ（第２支持面の一例）を有している。底板９１は、支持面９１Ａにより記録紙１２を支持する。図７に示されるように、延長トレイ３２の側壁９２（第２側壁の一例）は、左右方向９において、本体トレイ３１の側壁７５における外板８０と内板８１との間に位置している。
【００４６】
図５に示されるように、側壁９２は、左右方向９における外面９２Ｂにガイドレール１０２を有している。図７に示されるように、ガイドレール１０２は、側壁９２の外面９２Ｂから左右方向９の外方に突出し屈曲して下方に延出され、前後方向８に延びている。ガイドレール１０２は、本体トレイ３１のガイドレール８３Ａに上方から嵌め込まれている。これにより、延長トレイ３２は、本体トレイ３１に対して前後方向８に摺動される。つまり、延長トレイ３２は、本体トレイ３１に対して前向きに引き出し可能であり且つ後向きに押込み可能である。
【００４７】
図３に示されるように、延長トレイ３２が押込位置にある状態のとき、記録紙１２は、本体トレイ３１の底板７４の支持面７４Ａに支持される。図４に示されるように、延長トレイ３２が引出位置にある状態のとき、記録紙１２は、本体トレイ３１の底板７４の支持面７４Ａ及び延長トレイ３２の底板９１の支持面９１Ａに支持される。つまり、延長トレイ３２は、本体トレイ３１から引き出された状態で本体トレイ３１とともに記録紙１２を支持する。
【００４８】
図７に示されるように、延長トレイ３２の側壁９２の上面９２Ａは、左右方向９において、本体トレイ３１の側壁７５の上板８２の上面８２Ａ（図５参照）の下方に位置している。また、側壁９２の上面９２Ａには、下方に凹んで前後方向８に延びる凹部９４が形成されている。図７に示されるように、凹部９４は、左右方向９において、トレイカバー３３の後述する突起１１７に対応する位置にある。図５に示されるように、凹部９４において、被覆状態のトレイカバー３３の突起１１７に対応する位置には、支持部９４Ａが形成されている。図１１（Ｂ）に示されるように、支持部９４Ａは、トレイカバー３３の突起１１７の下面１１７Ｃが支持部９４Ａの上面に当接した状態で、トレイカバー３３の上面３３Ａが前後方向８及び左右方向９に沿って位置するように高さが設定されている。延長トレイ３２が押込位置にある状態のときに、支持部９４Ａは、本体トレイ３１の側壁７５の上板８２の貫通孔８４Ａの下方に位置する。
【００４９】
図９に示されるように、延長トレイ３２の前壁９３（壁部の一例）は、上下方向７及び左右方向９に沿って拡がる前板９５と、概ね前後方向８及び左右方向９に沿って拡がり、前板９５の上端から後方に延びる上壁９６とを有している。
【００５０】
図９に示されるように、上壁９６は、前板９５の上端から後方へ突出した後、屈曲して下方へ延びる上段部９８Ａと、上段部９８Ａの下端から後方へ延びた後、屈曲して下方へ延びる中段部９８Ｂと、中段部９８Ｂの下端から後方へ延びる下段部９８Ｃとを有している。
【００５１】
図５示されるように、延長トレイ３２の前壁９３の上壁９６は、左右方向９の両端部に上下方向７に貫通する第１開口９７（開口の一例）を有している。図８に示されるように、第１開口９７は、上段部９８Ａと下段部９８Ｃとの間が貫通するように形成されている。第１開口９７の位置は、被覆状態にあるトレイカバー３３の後述する突片１１３の位置に対応している。第１開口９７の前方における上段部９８Ａは、凸部の一例である。
【００５２】
さらに上壁９６は、図５に示されるように、左右方向９の中央部であって、第１開口９７より前方に、上下方向７に貫通する第２開口９９を有している。第２開口９９の位置は、被覆状態にあるトレイカバー３３の後述する延部１１６（図６参照）の位置に対応している。
【００５３】
図５に示されるように、前壁９３の上端部において第１開口９７より左右方向９の内方且つ後方には、上方に突出する突起部１００が形成されている。突起部１００は、左右方向９に長い立方体形状である。図９に示されるように、突起部１００は、突起部１００の後端から前方に向かって上方に傾斜した傾斜面１００Ａを有している。突起部１００の位置は、被覆状態にあるトレイカバー３３の後述する筒状部１１４の位置に対応している。
【００５４】
また、図１に示されるように、延長トレイ３２の前壁９３であって、当該前面９５Ａの左右方向９の中央部且つ下端部には、凹部１０１が形成されている。凹部１０１は、左右方向９に長い立方体形状である。複合機１０のユーザは、給送トレイ２０を筐体１４に対して押し込む際及び引き出す際に、凹部１０１を把持する。
【００５５】
［トレイカバー３３］
図４に示されるように、トレイカバー３３は、延長トレイ３２の前端部であって、支持面９１Ａの上方に延長トレイ３２と重ねられて設けられる。図６に示されるように、トレイカバー３３は、略矩形板状の部材である。図示は省略するが、トレイカバー３３は、延長トレイ３２が引出位置にある給送トレイ２０が複合機１０に装着されている状態において、複合機１０の前面１５から前方に露出する給送トレイ２０の領域の上方を被覆する。これにより、延長トレイ３２が引出位置にあるときに、給送トレイ２０に内部空間に塵埃などの異物が入ることが抑制される。トレイカバー３３は、延長トレイ３２の前壁９３によって回動可能、且つ、着脱可能に支持される。トレイカバー３３の回動については後述する。
【００５６】
図６（Ｂ）に示されるように、トレイカバー３３は、前端部１１８（第１向きに位置する端部の一例）の下面１１１Ａに、突片１１３を有している。図８に示されるように、突片１１３は、下面１１１Ａから下方に突出する縦板部１１３Ａと縦板部１１３Ａの下端から前方に突出する横板部１１３Ｂとを備える。突片１１３の左右方向９における位置は、延長トレイ３２の前壁９３の第１開口９７の位置に対応している。
【００５７】
図６（Ｂ）に示されるように、トレイカバー３３は、前端部１１８の下面１１１Ａに、筒状部１１４を有している。筒状部１１４は、突片１１３より後方であって左右方向９において突片１１３より内方に位置している。図９に示されるように、筒状部１１４は、下面１１１Ａから下方に突出して内部空間を画定している。筒状部１１４の後端部は、筒状部１１４のその他の部分より下方にさらに延出されて後板部１１５が形成されている。筒状部１１４の位置は、延長トレイ３２の突起部１００の位置に対応している。
【００５８】
図６（Ａ）に示されるように、トレイカバー３３は、前端部１１８に延部１１６を有している。延部１１６は、トレイカバー３３の前端縁における左右方向９の中央部から前方に延出されている。延部１１６は、左右方向９に長い矩形の平板形状を有している。延部１１６の位置は、延長トレイ３２の第２開口９９（図５参照）の位置に対応している。
【００５９】
図６（Ｂ）に示されるように、トレイカバー３３は、突起１１７を有している。突起１１７は、トレイカバー３３の左右方向９の端部であって前後方向８の中央付近において下面１１１Ａから下方に突出している。突起１１７は、前後方向８に延び且つ前後方向８の中央が下方に隆起した山形の平板形状を有している。突起１１７は、突起１１７の後端から前方に向かって下方に傾斜した後傾斜面１１７Ａ（第１ガイド面の一例）と、突起１１７の前端から後方に向かって上方に傾斜した前傾斜面１１７Ｂ（第２ガイド面の一例）と、後傾斜面１１７Ａと前傾斜面との間で前後方向８に延びる下面１１７Ｃとを有している。
【００６０】
トレイカバー３３は、下延部１２１を有している。下延部１２１は、トレイカバー３３の左右方向９の端部において下面１１１Ａから下方に突出して前後方向８に延びている。下延部１２１は、上下方向７及び前後方向８に沿って延びる矩形の平板形状を有している。下延部１２１の左右方向９の位置は、本体トレイ３１の内板８１における凹部８８（図７参照）の左右方向９の位置に対応している。
【００６１】
トレイカバー３３の後端部は、左右方向９の中央部が後端から前方に凹んだ操作部１１９を有している。操作部１１９は、概ね矩形状を有している。操作部１１９は、トレイカバー３３を延長トレイ３２に対して着脱する際に、ユーザが把持する部分である。
【００６２】
［トレイカバー３３の回動動作］
図８に示されるように、被覆状態のトレイカバー３３において、トレイカバー３３の突片１１３は、延長トレイ３２の前壁９３の第１開口９７に挿入されている。この状態において、突片１１３の横板部１１３Ｂの上面は、延長トレイ３２の前壁９３の上段部９８Ａに下方から当接している。これにより、トレイカバー３３の上端部が延長トレイ３２から上方に外れることが規制される。また、図示は省略するが、突片１１３の縦板部１１３Ａの左右方向９の両端面は、第１開口９７の周縁を画定する部材の左右方向９の両端面に当接している。これにより、トレイカバー３３が左右方向９に移動することが規制される。
【００６３】
また、図９に示されるように、被覆状態のトレイカバー３３において、延長トレイ３２の前壁９３の突起部１００は、トレイカバー３３の筒状部１１４の内部に挿入されている。図示は省略するが、この状態において、突起部１００の左右方向９の両端面は、筒状部１１４の左右方向９の両内面に当接している。これによっても、トレイカバー３３の左右方向９への移動が規制されている。また、図９に示されるように、この状態において、突起部１００の傾斜面１００Ａの下端は、トレイカバー３３の後板部１１５の前面１１５Ａに当接している。
【００６４】
図４に示される被覆状態のトレイカバー３３において、トレイカバー３３の延部１１６は、延長トレイ３２の第２開口９９（図５参照）の上方に位置している。
【００６５】
図１０（Ａ）に示されるように、延長トレイ３２が引出位置にある状態、且つトレイカバー３３の被覆状態において、トレイカバー３３の突起１１７の下面１１７Ｃは、延長トレイ３２の支持部９４Ａに上方から当接している。
【００６６】
トレイカバー３３の後端部が上方に移動されると、トレイカバー３３の前端縁が延長トレイ３２の前壁９３の上段部９８Ａに後方から当接し、トレイカバー３３の前端縁の下端を回動軸線１２０（図９参照）としてトレイカバー３３が回動する。このとき、トレイカバー３３の延部１１６は、延長トレイ３２の第２開口９９に進入する。延部１１６の左右方向９の寸法は、第２開口９９の左右方向９の寸法と略同じである。そのため、延部１１６が第２開口９９に進入した状態で、トレイカバー３３が左右方向９に移動することが規制される。
【００６７】
突起部１００に傾斜面１００Ａが形成されていることにより、トレイカバー３３が回動される際、トレイカバー３３の後板部１１５が延長トレイ３２の突起部１００に引っ掛ることなく、トレイカバー３３がスムーズに回動される。
【００６８】
［延長トレイ３２の押込み動作］
トレイカバー３３が被覆状態であるときに、図１０（Ａ）に示される延長トレイ３２が本体トレイ３１に対して引き出された状態（引出位置）から、図１１（Ｃ）に示される延長トレイ３２が本体トレイ３１に対して押し込まれた状態（押込位置）までの延長トレイ３２の移動過程における、トレイカバー３３の動作が説明される。
【００６９】
ユーザの操作によって、図１０（Ａ）に示される延長トレイ３２の位置から延長トレイ３２が本体トレイ３１に対して後方に移動されると、延長トレイ３２は、図１０（Ｂ）に示される位置まで移動する。図１０（Ｂ）に示される位置において、トレイカバー３３の突起１１７の後傾斜面１１７Ａは、側壁７５の前端部７５Ａと当接している。
【００７０】
ユーザの操作によって、図１０（Ｂ）に示される位置から延長トレイ３２が本体トレイ３１に対して後方に更に移動されると、本体トレイ３１の側壁７５の前端部７５Ａとトレイカバー３３の突起１１７の後傾斜面１１７Ａとの当接によって、突起１１７の後傾斜面１１７Ａに前向きの力が加わる。トレイカバー３３の前端部１１８が延長トレイ３２の前壁９３によって前方への移動が規制されているので、後傾斜面１１７Ａの傾斜によって、突起１１７には、上向きの力が加わる。そのため、回動軸線１２０（図９参照）を中心としてトレイカバー３３の後端部が上向きに移動するようにトレイカバー３３が回動し、突起１１７の後傾斜面１１７Ａが、側壁７５の前端部７５Ａに沿って摺動しながら、下面１１７Ｃが本体トレイ３１の側壁７５の上板８２の上面８２Ａへ至る。これにより、延長トレイ３２は、後方に更に移動可能となり、図１０（Ｃ）に示される状態に至る。
【００７１】
ユーザの操作によって、図１０（Ｃ）に示される状態から、延長トレイ３２が本体トレイ３１に対して後方に更に移動されると、図１１（Ａ）の状態に至る。図１０（Ｃ）から図１１（Ａ）に至る間のトレイカバー３３の動作については、説明を省略する。
【００７２】
ユーザの操作によって、図１１（Ａ）に示される状態から、延長トレイ３２が本体に対して後方に更に移動されると、本体トレイ３１の貫通孔８４Ａの前壁の上端部８４Ｃが、トレイカバー３３の突起１１７の前傾斜面１１７Ｂに当接した状態で前傾斜面１１７Ｂの後方から前方へ摺動する。これにより、突起１１７は、徐々に貫通孔８４Ａに進入して図１１（Ｂ）の状態に至る。図１１（Ｂ）に示される状態において、トレイカバー３３の突起１１７の下面１１７Ｃは、延長トレイ３２の側壁９２の支持部９４Ａに上方から当接し、支持部９４Ａに支持されている。
【００７３】
［延長トレイ３２の引き出し動作］
トレイカバー３３が被覆状態であるときに、図１１（Ｃ）に示される延長トレイ３２が本体トレイ３１に対して押し出された状態（押込位置）から、図１０（Ａ）に示される延長トレイ３２が本体トレイ３１に対して引き出された状態（引出位置）までの延長トレイ３２の移動過程における、トレイカバー３３の動作が説明される。
【００７４】
ユーザの操作によって、図１１（Ｂ）に示される延長トレイ３２の位置から延長トレイ３２を前方に移動させると、トレイカバー３３の突起１１７の前傾斜面１１７Ｂは、貫通孔８４Ａの前壁の上端部８４Ｃに当接する状態に至る。
【００７５】
この位置から延長トレイ３２を前方に更に移動させると、貫通孔８４Ａの前壁の上端部８４Ｃとトレイカバー３３の突起１１７の前傾斜面１１７Ｂとの当接によって、突起１１７の前傾斜面１１７Ｂに後向きの力が加わる。トレイカバー３３の前端部１１８が延長トレイ３２の前壁９３によって後方への移動が規制されているので、前傾斜面１１７Ｂの傾斜によって、突起１１７には、上向きの力が加わる。そのため、回動軸線１２０（図９参照）を中心としてトレイカバー３３の後端部が上向きに移動するようにトレイカバー３３が回動し、突起１１７の前傾斜面１１７Ｂが、貫通孔８４Ａの前壁の上端部８４Ｃに沿って摺動しながら、下面１１７Ｃが上端部８４Ｃへ至る。これにより、延長トレイ３２は、前方に更に移動可能となり、図１１（Ａ）に示される状態に至る。
【００７６】
ユーザの操作によって、図１１（Ａ）に示される状態から、延長トレイ３２が前方に更に移動されると、図１０（Ｃ）の状態に至る。図１１（Ａ）から図１０（Ｃ）に至る間のトレイカバー３３の動作については、説明を省略する。
【００７７】
ユーザの操作によって、図１０（Ｃ）に示される状態から、延長トレイ３２が前方に更に移動されると、側壁７５の前端部７５Ａが突起１１７の後傾斜面１１７Ａに当接した状態で後傾斜面１１７Ａの前方から後方へ摺動される。これにより、突起１１７は、下方に移動して図１０（Ｂ）の状態に至る。
【００７８】
［本実施形態の作用効果］
以上のように、トレイカバー３３が被覆状態のときに延長トレイ３２が引出位置から押込位置へ移動された場合、トレイカバー３３の突起１１７が本体トレイ３１の側壁７５の上面８２Ａに乗り上げる。そのため、トレイカバー３３が被覆状態であっても、延長トレイ３２が引出位置から押込位置へ容易に移動される。
【００７９】
延長トレイ３２においてトレイカバー３３の突起１１７を支持する支持部９４Ａは、延長トレイ３２の側壁９２の上面９２Ａから下方へ凹む凹部９４である。そのため、被覆状態にあるトレイカバー３３の位置が安定する。
【００８０】
延長トレイ３２の側壁７５は、延長トレイ３２が押込位置にある状態において、支持部９４Ａをトレイカバー３３の突起１１７と当接可能に上方へ露出させる貫通孔８４Ａを上面８２Ａに有する。そのため、延長トレイ３２が押込位置にある状態において、トレイカバー３３の突起１１７が延長トレイ３２の側壁９２の上面９２Ａに当接する。これにより、延長トレイ３２が押込位置にある状態と引出位置にある状態とで、被覆状態にあるトレイカバー３３が同じ高さに位置する。
【００８１】
トレイカバー３３の突起１１７に前傾斜面１１７Ｂが備えられているので、延長トレイ３２が引出位置から押込位置に移動する過程で、トレイカバー３３の突起１１７が側壁７５の貫通孔８４Ａに進入する際に、被覆状態にあるトレイカバー３３が急激に下方に回動することが抑制される。また、トレイカバー３３が被覆状態にある延長トレイ３２が押込位置から引出位置に移動する過程で、突起１１７が貫通孔８４Ａに引っ掛かることが抑制される。
【００８２】
トレイカバー３３は、トレイカバー３３の突片１１３が、延長トレイ３２の前壁９３に形成された第１開口９７に挿入される構成により、回動可能且つ着脱可能に延長トレイ３２に支持される。そのため、延長トレイ３２に対してトレイカバー３３が容易に着脱される。
【００８３】
トレイカバー３３の被覆状態において、トレイカバー３３の突片１１３における横板部１１３Ｂの上面が延長トレイ３２における前壁９３の上段部９８Ａに当接する。これにより、被覆状態のトレイカバー３３が延長トレイ３２から抜け落ちることが抑制される。
【００８４】
［変形例］
前述の実施形態においては、延長トレイ３２の側壁９２が本体トレイ３１の側壁７５にスライド可能に支持されることにより、延長トレイ３２が本体トレイ３１に対して押し込み及び引き出し可能に構成されていた。しかしながら、このようなスライド機構は、側壁９２及び側壁７５ではなく、本体トレイ３１の底板７４と延長トレイの底板９１とに設けられていてもよい。
【００８５】
また、本体トレイ３１の側壁７５は、支持面７４Ａから直接、上方に延びている必要はなく、支持面７４Ａと間隔を空けて配置されていてもよい。例えば、側壁７５は、底板７４の下面（底板７４における支持面７４Ａの反対面）から突出されて、左右方向９における支持面７４Ａよりも外方まで延び、そこから上方に延びていてもよい。延長トレイ３２における支持面９１Ａと側壁９２又は前壁９３についても同様である。
【００８６】
また、本体トレイ３１の底板７４の上方に延長トレイ３２の底板９１が位置するように構成されていてもよい。また、本体トレイ３１の側壁７５は、外板８０を有さず内板８１及び上板８２のみを有していてもよいし、内板８１を有さず外板８０及び上板３３のみを有していてもよい。
【００８７】
本体トレイ３１の側壁７５の上板８２は、貫通孔８４Ａより前方に他の貫通孔を有していてもよい。この場合、トレイカバー３３の突起１１７は、突起１１７の後傾斜面１１７Ａ及び前傾斜面１１７Ｂの働きにより、本体トレイ３１に対して延長トレイ３２が押し込まれる過程又は引き込まれる過程において、当該他の貫通孔に徐々に進入し、当該他の貫通孔から徐々に抜け出る。そのため、トレイカバー３３が被覆状態であっても、本体トレイ３１に対して延長トレイ３２が容易に移動される。
【符号の説明】
【００８８】
９・・・左右方向（幅方向）
１０・・・複合機（シート搬送装置、本体装置）
１２・・・記録紙（シート）
２０・・・給送トレイ（シートトレイ）
２８・・・給送部
３１・・・本体トレイ（第１トレイ）
３２・・・延長トレイ（第２トレイ）
３３・・・トレイカバー
７４Ａ・・・支持面（第１支持面）
７５・・・側壁（第１側壁）
８２Ａ・・・上面
８４・・・貫通孔
８４Ａ・・・周縁部
９１Ａ・・・支持面（第２支持面）
９２・・・側壁（第２側壁）
９２Ａ・・・上面
９３・・・前壁（壁部）
９４Ａ・・・支持部
７５Ａ・・・前端部（第１側壁の端部）
９７・・・第１開口（開口）
９８・・・前部
１１１Ａ・・・下面
１１３・・・突片
１１７・・・突起
１１７Ａ・・・後傾斜面（第１ガイド面）
１１７Ｂ・・・前傾斜面（第２ガイド面）
１１８・・・前端部（トレイカバーの第１向きに位置する端部）
１２０・・・回動軸線
【図１】
0006642051.tif 000002
【図２】
0006642051.tif 000003
【図３】
0006642051.tif 000004
【図４】
0006642051.tif 000005
【図５】
0006642051.tif 000006
【図６】
0006642051.tif 000007
【図７】
0006642051.tif 000008
【図８】
0006642051.tif 000009
【図９】
0006642051.tif 000010
【図１０】
0006642051.tif 000011
【図１１】
0006642051.tif 000012